(57)【特許請求の範囲】
【請求項１】
少なくとも４辺を有する底面部と、
底面部の左右方向両端縁を基端として延出する一対の端壁部と、
一対の端壁部における前方向端縁を基端としてそれぞれ延出する一対の第１翼様部と、
一対の端壁部における後方向端縁を基端としてそれぞれ延出し、先端側の一部が切り欠かれている一対の第２翼様部と、
底面部の前方向端縁を基端として延出する第１側壁部と、
第１側壁部の先端を基端として延出する第１内壁部と、
底面部の後方向端縁を基端として延出する第２側壁部と、
第２側壁部の先端を基端として延出する第２内壁部と、を備えた一枚の段ボールシートから形成される薄葉紙用ディスペンサであって、
一対の端壁部を内側に向かって立ち上げつつ一対の第１翼様部および一対の第２翼様部をそれぞれ内側に折り込み、
第１側壁部を一対の第１翼様部側に向かって立ち上げつつ、第１内壁部の先端が底面部に対向するように第１内壁部を内側に折り込むと共に、第１側壁部および第１内壁部によって一対の第１翼様部をそれぞれ被覆し、
第２側壁部を一対の第２翼様部側に向かって立ち上げつつ、第２内壁部の先端が底面部に対向するように第２内壁部を内側に折り込むと共に、第２側壁部および第２内壁部によって一対の第２翼様部をそれぞれ被覆することによって組み立てられ、
かつ、前記第１内壁部の先端に、第１内壁部の一部を切り欠くことで形成される指挿入部が存在している、
ことを特徴とする薄葉紙用ディスペンサ。
【請求項２】
組立状態において一対の第１翼様部における指挿入部と重なる位置には、第１翼様部の一部を切り欠くことで形成される一対の奥側指挿入部が存在している、請求項１に記載の薄葉紙用ディスペンサ。
【請求項３】
第１側壁部と、第１内壁部と、一対の第１翼様部とには、それぞれの一部を切り抜くことで形成されるフック穴が存在しており、これらのフック穴は、組立状態において重なるよう配置されている、請求項１又は請求項２に記載の薄葉紙用ディスペンサ。
【発明の詳細な説明】
【技術分野】
【０００１】
本発明はワイプやペーパータオルなどの薄葉紙を収納する薄葉紙用ディスペンサに関するものである。
【背景技術】
【０００２】
従来、ワイプやペーパータオルなどの薄葉紙を収納する薄葉紙用ディスペンサは、繰り返し使用されるため、耐久性の高さを考慮して金属製または硬質な樹脂製のものが一般的であった。
【特許文献１】特表平０８−５０４６１４号公報
【発明の開示】
【発明が解決しようとする課題】
【０００３】
しかしながら、金属製または硬質な樹脂製の薄葉紙用ディスペンサは、薄葉紙の収容枚数を増やすために大きく形成すると、重量が重くなってしまうため、携帯性が良くないという問題が有り、薄葉紙の収容枚数を容易に増やすことが困難であった。また、薄葉紙用ディスペンサの重量が重くなってしまうと、壁に掛けるようにして固定する場合、フックなどの壁掛け具が大がかりなものとなってしまい、設置に際するコストが嵩んでしまうという問題があった。
【０００４】
そこで、本発明は上記事実を考慮し、収容枚数を確保しつつも軽量であることによって、携帯性を高め、且つ設置コストを低減可能な薄葉紙用ディスペンサを提供することを課題とする。
【課題を解決するための手段】
【０００５】
以下に、上記課題を解決するための手段とその作用効果を記述する。なお、本発明における、前方向・後方向・左方向・右方向とは、発明の説明の便宜上定めたものに過ぎない。
〔請求項１に係る薄葉紙用ディスペンサ〕
少なくとも４辺を有する底面部と、
底面部の左右方向両端縁を基端として延出する一対の端壁部と、
一対の端壁部における前方向端縁を基端としてそれぞれ延出する一対の第１翼様部と、
一対の端壁部における後方向端縁を基端としてそれぞれ延出し、先端側の一部が切り欠かれている一対の第２翼様部と、
底面部の前方向端縁を基端として延出する第１側壁部と、
第１側壁部の先端を基端として延出する第１内壁部と、
底面部の後方向端縁を基端として延出する第２側壁部と、
第２側壁部の先端を基端として延出する第２内壁部と、を備えた一枚の段ボールシートから形成される薄葉紙用ディスペンサであって、
一対の端壁部を内側に向かって立ち上げつつ一対の第１翼様部および一対の第２翼様部をそれぞれ内側に折り込み、
第１側壁部を一対の第１翼様部側に向かって立ち上げつつ、第１内壁部の先端が底面部に対向するように第１内壁部を内側に折り込むと共に、第１側壁部および第１内壁部によって一対の第１翼様部をそれぞれ被覆し、
第２側壁部を一対の第２翼様部側に向かって立ち上げつつ、第２内壁部の先端が底面部に対向するように第２内壁部を内側に折り込むと共に、第２側壁部および第２内壁部によって一対の第２翼様部をそれぞれ被覆することによって組み立てられ、
かつ、前記第１内壁部の先端に、第１内壁部の一部を切り欠くことで形成される指挿入部が存在している、
ことを特徴とする薄葉紙用ディスペンサ。
【０００６】
本請求項に係る薄葉紙用ディスペンサの作用を以下に説明する。
本請求項に係る薄葉紙用ディスペンサは、一枚の段ボールシートから形成され、組立状態において、一対の端壁部と、一対の第１翼様部と、第１側壁部と、第１内壁部と、一対の第２翼様部と、第２側壁部と、第２内壁部と、が底面部に対して立ち上がるような形となり、周壁を成すようになっている。そして、組立状態において、底面部に対向する部分は周壁に囲まれる開口となり、この開口から内部に収容された薄葉紙が取り出されることとなる。
【０００７】
このように、本請求項に係る薄葉紙用ディスペンサは、段ボールシートから形成されているため、大型化したとしても金属製または硬質な樹脂製のものと比べて軽く構成することができため携帯性が向上する。また、軽く構成することが可能であると、大型化したものを壁に掛けるようにして固定する場合であっても、フックなどの壁掛け具が大がかりなものとならないため、設置に際するコストが嵩んでしまうということがない。さらに、本請求項に係る薄葉紙用ディスペンサは、組み立てる前の状態では一枚のシート状であり、部品点数が最小限であるため、組み立て前の状態であっても良好な携帯性を確保することができる。
【０００８】
また、一対の第２翼様部の先端側の一部が切り欠かれているため、組み立て状態において、周壁の一部が底面部と対向する開口と連続するようにして開口する。そのため、相互に異なる二つの方向から薄葉紙用ディスペンサ内部に手を入れることが可能となり、内部に収容された薄葉紙を取り出しやすくなる。
【０００９】
【００１０】
また、本発明に係る薄葉紙用ディスペンサは、組み立て状態において、内部に収容された薄葉紙は、底面部と対向する開口から取り出されるが、このようなタイプの薄葉紙用ディスペンサでは、薄葉紙の収容枚数が減るに連れて、薄葉紙に対して指を掛けることを可能とするようなスペースが確保できなくなる。
【００１１】
本請求項に係る薄葉紙用ディスペンサでは、組み立て状態において、第１内壁部の先端を底面部に対向させるようにして第１内壁部が内側に折り込まれるため、指挿入部は底面部側に位置するようになっている。つまり、組み立て状態において、薄葉紙用ディスペンサの内壁における底面部近傍には、指挿入部によって凹部が存在するようになっている。そうすると、内部に収容された薄葉紙の枚数が残り少なくなってしまったとしても、指挿入部により形成される凹部に指を入れることによって、残った薄葉紙を摘みやすくなり取り出しが容易となる。
【００１２】
また、指挿入部により形成される凹部は、第１側壁部によって外側から覆われるため、指挿入部からゴミや埃などの異物が薄葉紙用ディスペンサ内部に侵入することがない。
【００１３】
〔請求項２に係る薄葉紙用ディスペンサ〕
本請求項に係る薄葉紙用ディスペンサは、請求項１に係る薄葉紙用ディスペンサと同様の構成を有しており、さらに、組立状態において一対の第１翼様部における指挿入部と重なる位置には、第１翼様部の一部を切り欠くことで形成される一対の奥側指挿入部が存在している、ことを特徴とするものである。
【００１４】
本請求項に係る薄葉紙用ディスペンサの作用を以下に説明する。
本請求項に係る薄葉紙用ディスペンサは、請求項１に係る薄葉紙用ディスペンサと同様の構成を有しているため、請求項１に係る薄葉紙用ディスペンサと同様に作用する。さらに、組立状態において一対の第１翼様部における指挿入部と重なる位置には、第１翼様部の一部を切り欠くことで形成される一対の奥側指挿入部が存在しているため、指挿入部および一対の奥側指挿入部によって指を入れる凹部が形成される。そうすると、指を入れる凹部が深くなるため、より一層凹部に指が入れやすくなり、残った薄葉紙を摘みやすくなり取り出しが容易となる。
【００１５】
〔請求項３に係る薄葉紙用ディスペンサ〕
本請求項に係る薄葉紙用ディスペンサは、請求項１又は２に係る薄葉紙用ディスペンサと同様の構成を有しており、さらに、第１側壁部と、第１内壁部と、一対の第１翼様部とには、それぞれの一部を切り抜くことで形成されるフック穴が存在しており、これらのフック穴は、組立状態において重なるよう配置されている、ことを特徴とするものである。
【００１６】
本請求項に係る薄葉紙用ディスペンサの作用を以下に説明する。
本請求項に係る薄葉紙用ディスペンサは、請求項１又は２に係る薄葉紙用ディスペンサと同様の構成を有しているため、請求項１又は２に係る薄葉紙用ディスペンサと同様に作用する。さらに、第１側壁部と、第１内壁部と、一対の第１翼様部とには、それぞれの一部を切り抜くことで形成されるフック穴が存在しており、これらのフック穴は、組み立て状態において重なるよう配置されているため、フック穴近傍ではシートが三重に重なることとなる。そうすると、本請求項に係る薄葉紙用ディスペンサをこれらのフック穴で壁のフックなどに掛けた場合、薄葉紙用ディスペンサ内部に多数の薄葉紙が収容されて重くなったとしても、薄葉紙の重みによってフック穴近傍に破れなどの破損が生じることを防止することができる。
【発明の効果】
【００１７】
以上のように、本発明によれば、収容枚数を確保しつつも軽量であることによって、携帯性を高め、且つ設置コストを低減可能な薄葉紙用ディスペンサを提供することができる。
【発明を実施するための最良の形態】
【００１８】
次に、本発明に係る薄葉紙用ディスペンサの実施の形態を説明する。尚、図中において、矢印Ｘの示す方向を右方向、矢印Ｘが示す方向とは逆の方向を左方向、矢印Ｙの示す方向を前方向、矢印Ｙが示す方向とは逆の方向を後方向とする。
【００１９】
まず、本発明に係る薄葉紙用ディスペンサの第１の実施の形態を図１〜図９に示し、これらの図に基づき本実施の形態を説明する。
図１は本実施の形態に係る薄葉紙用ディスペンサ１の展開状態を示す図であり、薄葉紙用ディスペンサ１は、両面段ボールを加工することで形成された折り曲げ自在なシートを基材としている。
【００２０】
薄葉紙用ディスペンサ１には、組み立て状態において底面を成す矩形状の底面部１０が存在しており、この底面部１０は、底面部１０の左右方向両端縁である一対の端縁１５と、底面部１０の前方向端縁である端縁１８と、底面部１０の後方向端縁である端縁１７とによって囲まれている。底面部１０には、端縁１８と接するようにして矩形状に切り抜かれた一対の第１挿入口１３が存在しており、これらの第１挿入口１３は、一対の端縁１５から長さＷ４だけ離間するようにそれぞれ位置している。
【００２１】
一方、底面部１０には、端縁１７と接するようにして矩形状に切り抜かれた一対の第２挿入口１１が存在しており、これらの第２挿入口１１は、一対の端縁１５からから長さＷ４だけ離間するようにそれぞれ位置している。尚、一対の第１挿入口１３および一対の第２挿入口１１の前後方向長さは、薄葉紙用ディスペンサ１の基材であるシート２枚分の厚みと同じ長さとなっている。
【００２２】
底面部１０の前方向側には、矩形状である第１側壁部７０が存在しており、この第１側壁部７０は端縁１８を基端として長さＷ２だけ延出するような形となっている。第１側壁部７０には、この第１側壁部７０の先端である端縁７１側であって且つ左右方向両側に、第１側壁部７０の一部を切り抜くことで形成される一対のフック穴７７が凸形状を成して存在している。
【００２３】
第１側壁部７０の前方向側には、長方形状の第１折り部７３が、端縁７１を基端として延出するように存在しており、さらに、この第１折り部７３の前方向側には、略矩形状である第１内壁部８０が、第１折り部の前方向端縁である端縁７５を基端として長さＷ２だけ延出するように存在している。尚、第１内壁部８０の前後方向長さＷ２は、後述する一対の挿入部８５を除いた前後方向長さである。
【００２４】
この第１内壁部８０における後方向側であって且つ左右方向両側には、第１内壁部８０の一部を切り抜くことで形成される一対のフック穴８３が凸形状を成して存在している。これらのフック穴８３は、第１折り部７３を挟んで、一対のフック穴７７と形状および配置共に対象に現れるよう存在している。また、第１内壁部８０の前方向側における左右方向中央には、第１内壁部８０の一部をＵ字状に切り欠くことで形成される指挿入部８１が存在しており、この指挿入部８１の前後方向長さは後述する第２側壁部５０および第２内壁部６０の前後方向長さよりも長くなっている。
【００２５】
第１内壁部８０の前方向側には、矩形状に突出する一対の挿入部８５が、第１内壁部８０の前方向端縁から延出するような形で存在している。これらの挿入部８５は、左右方向長さが第１挿入口１３の左右方向長さと同じになっており、前後方向長さが、薄葉紙用ディスペンサ１の基材であるシート１枚分の厚みと同じ長さとなっている。それと共に、一対の挿入部８５は、一対の端縁１５から左右方向に長さＷ４だけそれぞれ離間するように位置している。
【００２６】
一方で、底面部１０の後方向側には、略台形状である第２側壁部５０が存在しており、この第２側壁部５０は端縁１７を基端として長さＷ３だけ延出するような形となっている。
【００２７】
第２側壁部５０の後方向側には、長方形状の第２折り部５３が、第２側壁部５０の後方向端縁である端縁５１を基端として延出するように存在しており、さらに、この第２折り部５３の後方向端縁である端縁５５側（後方向側）には、第２内壁部６０が、端縁５５を基端として長さＷ３だけ延出するように存在している。尚、第２内壁部６０の前後方向長さＷ３は、後述する一対の挿入部６３を除いた前後方向長さである。
【００２８】
第２内壁部６０の後方向側における左右方向中央には、第２内壁部６０の一部を半円状に切り欠いて形成される指掛部６１が存在しており、この指掛部６１の左右両側には、矩形状に突出する一対の挿入部６３が存在している。これらの挿入部６３は、左右方向長さが第２挿入口１１の左右方向長さと同じとなっており、前後方向長さが、薄葉紙用ディスペンサ１の基材であるシート１枚分の厚みと同じ長さになっている。それと共に、一対の挿入部６３は、一対の端縁１５から左右方向に長さＷ４だけ離間するように位置している。また、第２内壁部６０には、前後方向に沿って延在する切り込みによって形成される一対の折り曲げ部６５が存在しており、これらの左右方向における位置は、第２折り部５３の左右方向端縁の位置と同じになっている。
【００２９】
底面部１０の左右方向両側には、矩形状である一対の端壁部２０が存在しており、これらの端壁部２０は、一対の端縁１５を基端としてそれぞれ長さＷ２と同じ長さである長さＷ１だけ延出するような形となっている。これらの端壁２０の中央からやや先端側の部分には、これらの端壁２０の一部を切り抜くことで形成される手掛穴２１が存在しており、これらの手掛穴２１は、それぞれ丸みを帯びた形状を成している。
【００３０】
一対の端壁部２０の前方向側には、略矩形状である一対の第１翼様部３０が存在しており、これらの第１翼様部３０は、一対の端壁部２０の前方向端縁である端縁２３を基端としてそれぞれ延出するような形となっている。これらの第１翼様部３０の左右方向長さＷ５は、長さＷ１よりも薄葉紙用ディスペンサ１の基材であるシート１枚分の厚み分だけ短くなっており、これらの第１翼様部３０は、端壁部２０に対して、薄葉紙用ディスペンサ１を構成する基材の厚み分だけ左右方向中央側にそれぞれずれるようにして位置している。
【００３１】
一対の第１翼様部３０のうちの左側に位置する第１翼様部３０における端縁２３寄りであって、且つ左側端縁近傍には、第１翼様部３０の一部分を切り抜くことで形成されるフック穴３５が凸形状を成して存在している。また、左側に位置する第１翼様部３０における右方向端縁からは、矩形状に突出する挿入部３１が、前方向端縁２３から長さＷ４だけ離間して存在している。この挿入部３１は、左右方向長さが薄葉紙用ディスペンサ１の基材であるシート１枚分の厚みと同じ長さとなっており、前後方向長さが、第１挿入口１３の左右方向長さと同じとなっている。また、左側に位置する第１翼様部３０における右前側の部分には、第１翼様部３０の一部を略円弧を描くように切り欠くことで形成される奥側指挿入部３３が存在している。
【００３２】
尚、一対の第１翼様部３０のうちの右側の第１翼様部３０は、第１側壁部７０を挟んで、左側に位置する第１翼様部３０と対象に現れ、構造も同一であるため説明を省略する。
【００３３】
この一方、一対のフック穴３５のうちの左側に位置するフック穴３５の位置について説明すると、このフック穴３５と第１翼様部３０における左後側の頂点との離間距離は、一対のフック穴７７のうちの左側に位置するフック穴７７と第１側壁部７０の左前側の頂点との離間距離、および、一対のフック穴８３のうちの左側に位置するフック穴８３と第１内壁部８０の左後側の頂点との離間距離、とはそれぞれほぼ同一となっている。このことによって、これらのフック穴群は、薄葉紙用ディスペンサ１の組み立て時においてそれぞれが重なるようになっている。また、右側に位置するフック穴群についても、左右方向中央を境にして左側に位置するフック穴群と対象に現れるため、左側に位置するフック穴群と同様に、葉紙用ディスペンサ１の組み立て時においてそれぞれが重なるようになっている。
【００３４】
このことによって、本実施の形態に係る薄葉紙用ディスペンサ１をこれらのフック穴で壁のフックなどに掛けた場合、薄葉紙用ディスペンサ１内部に多数の薄葉紙Ｐが収容されて重くなったとしても、薄葉紙Ｐの重みによってフック穴近傍に破れなどの破損が生じることを防止することができる。
【００３５】
一対の端壁部２０の後方向側には、一対の第２翼様部４０が存在しており、これらの第２翼様部４０は、一対の端壁部２０の後方向端縁である端縁２５を基端としてそれぞれ延出するような形となっている。これらの第２翼様部４０は、先端側の一部分が丸み帯びるように切り欠かれた形状を成している。
【００３６】
一対の第２翼様部４０のうちの左側に位置する第２翼様部４０における右後側には、第２翼様部４０から後方向に向かって突出するような形で突出部４１が存在しており、この突出部４１は左右方向幅が長さＷ３、前後方向長さが、第２折り部５３の左右方向長さの半分の長さである長さＷ６となっている。また、この第２翼様部４０における右方向端縁からは、矩形状に突出する挿入部４３が、端縁２５から長さＷ４だけ離間して存在している。この挿入部４３の左右方向長さは、薄葉紙用ディスペンサ１の基材であるシート１枚分の厚みと同じ長さとなっており、前後方向長さは、第２挿入口１１の左右方向長さと同じとなっている。
【００３７】
尚、一対の第２翼様部４０のうちの右側に位置する第２翼様部４０は、第２側壁部５０を挟んで、左側に位置する第２翼様部４０と対象に現れ、構造も同一であるため説明を省略する。
【００３８】
次に、本実施の形態に係る薄葉紙用ディスペンサ１の組み立て手順を図２〜図７を参照しつつ説明する。
本実施の形態に係る薄葉紙用ディスペンサ１は、図１に示す展開状態から、図３および図４に示すように、まず左右の一対の端壁部２０を９０度立ち上げつつ、一対の第１翼様部３０を内側に９０度折り込み、一対の挿入部３１を一対の第１挿入口１３へそれぞれ挿入する。次いで、第１側壁部７０を一対の第１翼様部３０に向かって立ち上げると共に、第１内壁部８０の先端が底面部１０に対向するように第１内壁部８０を内側に折り込むことによって、一対の第１翼様部３０を、第１側壁部７０および第１内壁部８０によって被覆し、そして、一対の挿入部８５を一対の第１挿入口１３へそれぞれ挿入する。
【００３９】
次に、図６に示すように、一対の第２翼様部４０を内側に９０度折り込むと共に、一対の挿入部４３を一対の第２挿入口１１へそれぞれ挿入する。続いて、図７に示すように、第２側壁部５０を一対の第２翼様部４０に向かって立ち上げると共に、第２内壁部６０を、一対の折り曲げ部６５で外側に向かって折り曲げつつ、第２内壁部６０の先端が底面部１０に対向するように第２内壁部６０を内側に折り込むことによって、一対の第２翼様部４０における突出部４１とその近傍を、第２側壁部５０および第２内壁部６０によって被覆する。そして、一対の挿入部６３を一対の第２挿入口１１へそれぞれ挿入する。かくして、組み立てられた薄葉紙用ディスペンサ１は、図２に示されるような形態を呈する。
【００４０】
次に、本実施の形態に係る薄葉紙用ディスペンサ１の作用を説明する。
本実施の形態に係る薄葉紙用ディスペンサ１は、一枚の段ボールシートから形成され、組立状態において、一対の端壁部２０と、一対の第１翼様部３０と、第１側壁部７０と、第１内壁部８０と、一対の第２翼様部４０と、第２側壁部５０と、第２内壁部６０と、が底面部１０に対して立ち上がるような形となり、周壁を成すようになっている。そして、図２に示すように、組立状態において、底面部１０に対向する部分は周壁に囲まれる開口となり、この開口から内部に収容された薄葉紙Ｐが取り出されることとなる。
【００４１】
本実施の形態に係る薄葉紙用ディスペンサ１は、段ボールシートから形成されているため、大型化したとしても軽く構成することができため携帯性が向上する。また、軽く構成することが可能であると、大型化したものを壁に掛けるようにして固定する場合であっても、フックなどの壁掛け具が大がかりなものとならないため、設置に際するコストが嵩んでしまうということがない。さらに、本実施の形態に係る薄葉紙用ディスペンサ１は、組み立てる前の状態では一枚のシート状であり、部品点数が最小限であるため、組み立て前の状態であっても良好な携帯性を確保することができる。
【００４２】
また、一対の第２翼様部４０の先端側の一部が切り欠かれているため、組み立て状態において、図２に示すように、周壁の一部が底面部１０と対向する開口と連続するようにして開口する。そのため、図８に示すように、相互に異なる二つの方向から薄葉紙用ディスペンサ１内部に手を入れることが可能となり、内部に収容された薄葉紙Ｐを取り出しやすくなる。
【００４３】
この一方、本実施の形態に係る薄葉紙用ディスペンサ１では、組み立て状態において、第１内壁部８０の先端を底面部１０に対向させるようにして第１内壁部８０が内側に折り込まれるため、図２に示すように、指挿入部８１は底面部１０側に位置するようになっている。つまり、組み立て状態において、薄葉紙用ディスペンサ１の内壁における底面部１０近傍には、指挿入部８１によって凹部が形成される。そうすると、図９に示すように、内部に収容された薄葉紙Ｐの枚数が残り少なくなってしまったとしても、指挿入部８１により形成される凹部に指を入れることによって、残った薄葉紙Ｐを摘みやすくなり取り出しが容易となる。また、指挿入部８１により形成される凹部は、第１側壁部７０によって外側から覆われるため、指挿入部８１からゴミや埃などの異物が薄葉紙用ディスペンサ１内部に侵入することがない。
【００４４】
さらに、本実施の形態に係る薄葉紙用ディスペンサ１には、第１翼様部３０の一部を切り欠くことで形成される一対の奥側指挿入部３３が存在しているため、指挿入部８１によって形成される凹部が深くなるため、より一層凹部に指が入れやすくなり、残った薄葉紙Ｐを摘みやすくなり取り出しが容易となる。
【００４５】
次に、本発明に係る薄葉紙用ディスペンサの第２の実施の形態を図１０〜図１２に示し、これらの図に基づき本実施の形態を説明する。尚、第１の実施の形態で説明した部材と同一の部材には同一の符号を付して、重複した説明を省略する。
【００４６】
一対の端壁２０と、一対の第１翼様部３０と、一対の第２翼様部４０と、はそれぞれ左右方向に長く形成われ、このように形成することによって、薄葉紙Ｐの収容枚数を増やすことができる。この場合、第１翼様部３０における先端側の一部分を切り欠くことによって、図１２に示すように、前後方向に一続きの開口が形成される。このように第１翼様部３０における先端側の一部分を切り欠くことによって形成される一対の突出部３７の左右方向長さＷ７は、第１側壁部７０の前後方向長さおよび第１内壁部８０の一対の挿入部８５を除いた前後方向長さと同じになる。また、第１内壁部８０には、前後方向に沿って延在する切り込みによって形成される一対の折り曲げ部８９が存在しており、これらの左右方向における位置は、第１折り部７３の左右方向端縁の位置と同じになっている。
【００４７】
また、図１１に示すように、本実施の形態に係る薄葉紙用ディスペンサ１では、裏面側における一対の手掛穴２１周辺に、段ボールシートから形成される補強材２２が貼り付られている。これと同様に、本実施の形態に係る薄葉紙用ディスペンサ１では、裏面側における一対のフック穴３６周辺に、段ボールシートから形成される補強材３６が貼り付けられている。
【００４８】
次に、本発明に係る薄葉紙用ディスペンサの第３の実施の形態を図１３および図１４に示し、これらの図に基づき本実施の形態を説明する。尚、第１の実施の形態で説明した部材と同一の部材には同一の符号を付して、重複した説明を省略する。
【００４９】
本実施の形態に係る薄葉紙用ディスペンサ１では、第１の実施の形態に係る薄葉紙用ディスペンサ１の第１側壁部７０と、第１折り部７３と、第１内壁部８０と、一対の第１翼様部３０とに対応する部材が、それぞれ、第２側壁部５０と、第２折り部５３と、第２内壁部６０と、一対の第２翼様部４０と、入れ替わった形となっている。つまり、本実施の形態に係る薄葉紙用ディスペンサ１では、第２側壁部５０と、第２折り部５３と、第２内壁部６０と、一対の第２翼様部４０とが、前後方向中央を挟んで対象に現れるようになっている。
【００５０】
一対の端壁部２０の先端縁近傍における前後方向両端には、端壁部２０の一部を切り抜くことで形成される円状の通し穴２７がそれぞれ存在している。また、第２翼様部４０には、第２翼様部４０の一部を切り抜くことで形成される通し穴４５が存在している。これらの通し穴は、フックを掛ける穴として使用できるほか、ピンなどの部品を用いて複数の薄葉紙用ディスペンサ１同士を連結することもできる。
【００５１】
尚、上記に示した第１および第２の実施の形態においては、手掛穴２１は、端壁２０の一部を切り抜くことで形成されるとしたが、第１側壁部７０および第１内壁部８０の一部を切り抜き、一対の第１翼様部３０の一部をそれぞれ切り欠くことによって形成することも可能である。
【００５２】
また、上記に示した第１〜第３の実施の形態においては、薄葉紙用ディスペンサ１を形成するシート基材は段ボールとしたが、プラスチック段ボールとすることも可能である。この場合、紙製の段ボールと比べて防水性が向上する。
【図面の簡単な説明】
【００５３】
【図１】本発明の第１の実施の形態に係る薄葉紙用ディスペンサの展開図である。
【図２】本発明の第１の実施の形態に係る薄葉紙用ディスペンサの組み立てた状態を示す斜視図である。
【図３】本発明の第１の実施の形態に係る薄葉紙用ディスペンサの組み立てた状態の断面図であって、図１のＡ−Ａ矢視線に対応する断面図である。
【図４】本発明の第１の実施の形態に係る薄葉紙用ディスペンサの組み立て途中の状態を示す斜視図である。
【図５】本発明の第１の実施の形態に係る薄葉紙用ディスペンサの組み立て途中の状態を示す斜視図である。
【図６】本発明の第１の実施の形態に係る薄葉紙用ディスペンサの組み立て途中の状態を示す斜視図である。
【図７】本発明の第１の実施の形態に係る薄葉紙用ディスペンサの組み立て途中の状態を示す斜視図である。
【図８】本発明の第１の実施の形態に係る薄葉紙用ディスペンサの組み立て状態における、使用状態を示す参考図である。
【図９】本発明の第１の実施の形態に係る薄葉紙用ディスペンサの組み立て状態における、使用状態を示す参考図である。
【図１０】本発明の第２の実施の形態に係る薄葉紙用ディスペンサの展開図である。
【図１１】本発明の第２の実施の形態に係る薄葉紙用ディスペンサの裏面側の展開図である。
【図１２】本発明の第２の実施の形態に係る薄葉紙用ディスペンサの組み立てた状態を示す斜視図である。
【図１３】本発明の第３の実施の形態に係る薄葉紙用ディスペンサの展開図である。
【図１４】本発明の第３の実施の形態に係る薄葉紙用ディスペンサの組み立てた状態を示す斜視図である。
【符号の説明】
【００５４】
１        薄葉紙用ディスペンサ
１０      底面部
２０      端壁部
３０      第１翼様部
３３      奥側指挿入部
３５      フック穴
４０      第２翼様部
５０      第２側壁部
６０      第２内壁部
７０      第１側壁部
７７      フック穴
８０      第１内壁部
８３      フック穴
８１      指挿入部
【図１】
0005384040.tif 000002
【図２】
0005384040.tif 000003
【図３】
0005384040.tif 000004
【図４】
0005384040.tif 000005
【図５】
0005384040.tif 000006
【図６】
0005384040.tif 000007
【図７】
0005384040.tif 000008
【図８】
0005384040.tif 000009
【図９】
0005384040.tif 000010
【図１０】
0005384040.tif 000011
【図１１】
0005384040.tif 000012
【図１２】
0005384040.tif 000013
【図１３】
0005384040.tif 000014
【図１４】
0005384040.tif 000015